(57)【要約】【課題】携帯用小型のホッチキスでは、簡便な構造で、紙葉の綴じる位置を一様にするストッパーと予備のステープルを体裁よく収納する手段に欠けていた。そこで、多数の紙資料を綴じる際には、ステープルの綴じ位置が不揃いになっり、多くの部数を綴じる場合に予備ステープルを別途持参する面倒があった。【解決手段】表面端部に金属製アンビル１２を備えたべ−ス１０をプラスチックにて周側壁１３を高くし、このベ−ス１０の表面板１１の長手方向にスロット１４を穿ち、スロット１４を挟んでスライド自在としたストッパー６０を設け、ベース１０のスロット１４内の四方には仕切壁１６を形成し予備のステープルＳの収納スペース７０を形成し、ベース１０の裏面には蓋板１７を設けた。【選択図】　図１
2004142074.tif 000002
【特許請求の範囲】
【請求項１】
表面端部に金属製アンビルを備えたべ−スをプラスチックにて周側壁を高く構成し、このベ−スの表面板の長手方向にスロットを穿ち、スロットを挟んでスライド自在としたストッパーを設け、ベースのスロット内の四方には仕切壁を形成し予備のステープルの収納スペースを形成し、ベースの裏面には蓋板を設けたことを特徴とするホッチキス。
【請求項２】
ベースの表面板にスロットに直交する複数対の窪みを設け、ストッパーを、スロットに遊嵌する脚を設け、かつ、ベースの表面側に窪みに入り込む一対の突条を設けた矩形をなすプラスチック製のーストッパー本体と、スロットの裏面の両側縁に掛止されスライドし、ストッパー本体をスロット側に付勢するよう屈曲させたバネ板とからなり、この本体とバネ板を一体に構成し、ストッパーがスロットを挟んでスライド自在かつ窪みと突条で掛止することができるようにしたことを特徴とするホッチキス。
【請求項３】
請求項２記載のホッチキスにおいて、ストッパー本体の金属製アンビル側の両端を、ステープルマガジンを避けて高くして前面から見て凹状としたことを特徴とするもの。
【請求項４】
請求項２又は請求項３記載のホッチキスにおいて、バネ板をスライドさせるベースの表面板の裏面に段落部を形成し、予備のステープルとバネ板が擦ることがないようにしたことを特徴とするホッチキス。
【発明の詳細な説明】
【０００１】
【発明の属する技術分野】
本発明は、複数枚のペーパーを綴じるのに用いる携帯用小型のホッチキスに関するもので、特に、ベースを厚くして、内部に予備のステープルを収納するようにすると共に、複数箇所を連続して綴じる場合に紙の縁から同じ箇所にステープルを打ち込めるようにするストッパーを設けるようにしたものである。
【０００２】
【従来の技術】
大型のホッチキスでは、特許文献１に示すようにステープルも数多く収納することができ予備のステープルを収納する必要性に乏しく、また、紙葉を綴じる際に位置を合わせるストッパーも標準装備されていた。
しかし、携帯用小型のホッチキスでは、特許文献２、３に示すようにキャップに予備のステープルの収納部を設けることが提案されていた。
【０００３】
【特許文献１】
特開２００２−１６７９号公報　（図１）
【特許文献２】
実開平２−１１７８７８号公報　（第１頁　第１図〜第３図）
【特許文献３】
実開昭５８−１６９９７４号公報　（第２頁　第３図、第６図）
【０００４】
【発明が解決しようとする課題】
従来、携帯用小型のホッチキスでは、簡便な構造で、紙葉の綴じる位置を一様にするストッパーと予備のステープルを体裁よく収納する手段に欠けていた。
そこで、多数の紙資料を綴じる際には、ステープルの綴じ位置が不揃いになったり、ステープルが曲がって綴じることになり、体裁を損なうばかりでなく、広げて目を通す場合文字や図形が傾いて読み難くなる欠点があった。
さらに、多くの部数を綴じる場合に予備を持参する面倒があった。
本発明は、以上のような従来例の課題を解決するため、ホッチキスのベースに着目し、ここを利用して、ストッパーを取り付け、ステープルの収納スペースとしたのである。
【０００５】
【課題を解決するための手段】
上述の目的を達成するために本発明の請求項１のホッチキスは、表面端部に金属製アンビルを備えたべ−スをプラスチックにて周側壁を高く構成し、このベ−スの表面板の長手方向にスロットを穿ち、スロットを挟んでスライド自在としたストッパーを設け、ベースのスロット内の四方には仕切壁を形成し予備のステープルを収納し、ベースの裏面には蓋板を設けたのである。
【０００６】
本発明の請求項２のホッチキスは、ベースの表面板にスロットに直交する複数対の窪みを設け、ストッパーを、スロットに嵌する脚を設け、かつ、ベースの表面側に窪みに入り込む一対の突条を設けた矩形をなすプラスチック製のストッパー本体と、スロットの裏面の両側縁に掛止されスライドし、ストッパー本体をスロット側に付勢するよう屈曲させたバネ板とからなり、この本体とバネ板を一体に構成し、ストッパーがスロットを挟んでスライド自在かつ窪みと突条で掛止することができるようにしたことを特徴とするものである。
【０００７】
本発明の請求項３のホッチキスは、請求項２のホッチキスにおいてストッパー本体の金属製アンビル側の両端を、マガジンを避けて高くして前面から見て凹状としたことを特徴とするものである。
本発明の請求項４のホッチキスは、請求項２又は請求項３記載のホッチキスにおいて、バネ板をスライドさせるベースの表面板の裏面に段落部を形成し、予備のステープルとバネ板がぶつからないようにしたことを特徴とするものである。
【０００８】
【発明の実施の形態】
以下、図面に示す本発明の実施の形態に即して説明する。
ホッチキスＨは、基本的にはベース１０、ステープルマガジン２０、押え板３０及びキャップ４０を一端部で回転軸５０で軸止したものである。
【０００９】
ステープルマガジン２０は、多数綴られたステープルＳを装填するのでチャンネル状の金具からなり、先端底部に一のステープルＳを打ち出すための出口２１を備えている。
ステープルマガジン２０内には、ステープルＳを出口２１方向に押圧するプッシャー２２が配置される。このプッシャー２２は、ステープルマガジン２０の両側の凹溝２３に規制され、出口２１付近の爪２４に掛け止める圧縮バネ２５によりステープルＳを押圧する。またプッシャー２２と押え板３０の基端側を可撓性を備えたプラスチック紐２６で繋ぎ、ステープルマガジン２０を押えてキャップ４０を開いたときに圧縮バネ２５に抗してプッシャー２２を回転軸５０側にスライドさせステープルマガジン２０内にステープルＳを装填できる状態とする。（図１）
【００１０】
キャップ４０の先端内側にはドライバ４１を設けてある。ドライバ４１は、ステープルマガジン２０の出口２１と対向させてあり、ステープルＳを順次打ち出すものである。
押え板３０は、ステープルマガジン２０内に入り込み収納されているステープルＳを押えるもので、先端側でドライバ４１の穴４１ａに入り込み掛止され、バネ３１でステープルマガジン２０側に付勢されている。
この押え板３０の先端側には窓穴３２を穿ってあり、ステープルＳの先端側が透視できるようになっている。
キャップ４０には、押え板３０の窓穴３２に対応する箇所には透明板４２を嵌め込むようにしてあり、キャップ４０の上からステープルＳの残量が常に視認できるようになっている。
ベース１０には、綴じるためにキャップ４０を押圧した後にステープルマガジンを戻すためのバネ１０ａ及び綴じたステープルＳを外すための爪片１０ｂを設けてある。
【００１１】
本発明は、上述のようなホッチキスＨの構成を前提に、ベース１０にステープルＳの打ち出し位置を揃えるためのストッパー６０及び予備のステープルＳの収納スペース７０を設けるようにしたものである。
ベース１０はプラスチックの成形品からなるが、表面板１１の端部にステープルＳの脚を曲げる金属製アンビル１２を備え周側壁１３を高く構成し厚みがあるように形成する。
このベ−ス１０の表面板１１の長手方向中央にスロット１４を穿ち、表面板１１にスロット１４に直交する複数対の窪み１１ａ、１１ａを凹設するようにしている。
【００１２】
そして、スロット１４を挟んでスライド自在とする、プラスチック製のストッパー本体６１と金属製のバネ板６２とからなるストッパー６０を設けるようにする。
ストッパー本体６１は、矩形状をなす基板にスロット１４内に遊嵌する脚６１ａを備え、かつ、ベース１０の表面の窪み１１ａ、１１ａに嵌り込む一対の突条６１ｂを設け、金属製アンビル１２側の両端を、ステープルマガジン２０を避けて高くした衝接壁６１ｃを設けて前面から見て凹状としてある。
【００１３】
金属製のバネ板６２は、ベース１０のスロット１４の裏面に接触してストッパー本体６１と一体にスライドするものである。このバネ板６２は端部を折曲させてストッパー本体６１をスロット１４内に付勢するようにしてある。
また、バネ板６２をスライドさせるベース１０の表面板の裏面に段落部１５を形成し、ストッパー本体６１の突条６１ｂ、６１ｂがベース１０の表面の窪み１１ａ、１１ａに嵌り込んだときに、バネ板６２は段落部１５内に納められるようにしてある。
ストッパー本体６１とバネ板６２を一体とするには、ストッパー本体６１の脚６１ａの先端をスロット１４を通してバネ板６２に貫通させ、貫通する端縁から加熱押圧させることでかしめるようにする。（図６参照）
【００１４】
予備のステープルＳの収納スペース７０は、スロット１４の内側に設けるもので、スロット１４内の四方にステープルＳを遊嵌させるように周側壁１３より低い仕切壁１６を設けることで形成するものである。そして、裏面には取り外し自在な蓋板１７を設けている。
二つの予備のステープルＳの両脚を沿わせるように嵌め合わせて、段落部１５と仕切壁１６の間の段縁１８、１８に跨ぐように収納されることになる。そこで、段縁１８、１８の間は、ステープルＳの両側の脚よりも若干広くなるようにしてある。また、一の予備のステープルＳの脚を段縁１８、１８に載せるようにして一の予備のステープルを収納してもよい。
【００１５】
蓋板１７は、収納スペース７０を形成する仕切壁１６を被いベース１０の底面の一部を構成するもので、矩形板１７ａの一方に、仕切壁１６の角穴１６ａに入る挿入部１７ｂを突設し、他方には弾性を付与するＶ形から先端に矩形板１７ａと面一となる操作摘みを設けた掛止板１７ｃを設けるようにしてある。　　掛止板１７ｃは、ベース１０の底面の仕切壁１６に続く穴１６ｂにそのＶ形部が嵌り、この穴１６ｂに隣接する凹部１９に操作摘みが爪先が入る程度の隙間をもって重なるようになっている。
そして、掛止板１７ｃの肩部１７ｄ、１７ｄが凹部１９の両隅から内部に入り込み掛止されることで施蓋状態が維持されるようになっている。
蓋板１７を外す場合は、爪先で操作摘みを押して掛止を外し、挿入部１７ｂを角穴１６ａから引き出すように斜めに持ち上げればよい。
蓋板１７は図示の例では外せる構造を採用しているが、蝶番で繋げるような構造を採用することもできる。
【００１６】
ホッチキスＨのベース１０以外の構成では図示の実施の形態に限定されず、これまで提供されている携帯用ホッチキスの構造や、特許文献などで公開されている公知の形態を採用してもよい。
【００１７】
スライド自在なストッパー６０は、ベース１０の表面の窪み１１ａ、１１ａにストッパー本体６１の突条６１ｂ、６１ｂが嵌り込むことで停止するので使用している最中に動いて綴じ位置が変わることがないのである。
図示の実施の形態では、ストッパー６０のバネ板６２のスライドする段落部１５を設けてストッパー６０がスライドするときにぶれないようにしてるが、例えばスロット１４を複数設けて、このスロット１４にストッパー本体６１の脚６１ａが嵌り込むようにすれば不要となる。
また、この段落部１５はバネ板６２と予備のステープルＳの接触を避ける上で有用であるが、ベース１０の周側壁１３を厚くして収納したステープルＳとバネ板６２の間に隙間が生じるようにすれば段落部１５を設けなくてもよい。すなわち、常態ではベース１０は下となるので予備のステープルＳは蓋板１７側になるからである。しかし、ベース１０の厚みを最小限とするは、段落部１５を設けるのが望ましい。
【００１８】
【発明の効果】
請求項１の発明に係るホッチキスでは、ベースの周側壁を高く構成し、このベ−スの表面板の長手方向にスロットを穿ち、スロットを挟んでスライド自在としたストッパーを設け、ベースのスロット内の四方には仕切壁を形成し予備のステープルの収納スペースを形成し、ベースの裏面には蓋板を設けたので、ベースを若干高くすることで、ストッパー及び予備のステープルの収納スペースを構成することができるのである。
そこで、従来予備のステープルの収納スペースとしてキャップに設けるようにしたものに比して体裁が良いばかりでなく、余計な突起がないので取り扱いは簡便で、収納に際して嵩張ることがないである。
【００１９】
請求項２の発明に係るホッチキスでは、ベースの表面板に複数対の窪みを設け、ストッパー本体にベースの表面側に窪みに入り込む一対の突条を設けることで、ストッパーへの紙の縁からの停止位置を所望の箇所とすることができるのである。
加えて、ストッパーのバネ板によりストッパー本体をスロット側に付勢するので、停止位置から動くことがないのである。
【００２０】
請求項３の発明に係るホッチキスは、ストッパー本体の金属製アンビル側の両端を、ステープルマガジンを避けて高くして前面から見て凹状としたので、綴じるべき紙葉を確実にストッパーに当てることができるのである。
【００２１】
請求項４の発明に係るホッチキスは、バネ板をスライドさせるベースの表面板の裏面に段落部を形成したので、ステープル収納部内のステープルとバネ板が擦ることがないのである。
【図面の簡単な説明】
【図１】本発明に係るホッチキスの断面図である。
【図２】本発明に係るホッチキスの平面図ａ，正面図ｂ，底面図ｃである。
【図３】本発明に係るホッチキスを開いた状態の斜視図である。
【図４】本発明のホッチキスの要部断面図である。
【図５】蓋板を外して予備のステープルＳを出した状態の要部断面図である。
【図６】ストッパーを一体とする手段を示す要部断面図である。
【図７】蓋板とベースを示す斜視図である。
【図８】蓋板をベースより外した状態ａ及び取り付け状態ｂの要部断面図である。
【符号の説明】
Ｈ　ホッチキス
Ｓ　ステープル
１０　ベース
１１　表面板
１２　金属製アンビル
１３　周側壁
１４　スロット
１５　段落部
１６　仕切壁
１７　蓋板
１８　段縁
２０　ステープルマガジン
２１　出口
２２　プッシャー
２３　凹溝
２４　爪
２５　圧縮バネ
２６　プラスチック紐
３０　押え板
３１　バネ
３２　窓穴
４０　キャップ
４１　ドライバ
４１ａ　穴
４２　透明板
５０　回転軸
６０　ストッパー
６１　ストッパー本体
６２　バネ板
７０　収納スペース
【図１】
2004142074.tif 000003
【図２】
2004142074.tif 000004
【図３】
2004142074.tif 000005
【図４】
2004142074.tif 000006
【図５】
2004142074.tif 000007
【図６】
2004142074.tif 000008
【図７】
2004142074.tif 000009
【図８】
2004142074.tif 000010